(57)【特許請求の範囲】
【請求項１】
取付け部に形成された取付け穴を通して前記取付け部の表面側から裏面側に挿入操作可能で、且つ、前記取付け穴の裏面側周縁に外周側部位の一部を当て付けた状態で前記取付け部の裏面側に配置可能な形状に構成された取付け具本体に、前記取付け穴の表面側開口縁に弾性復元力で当接する弾性変形可能な当接体が設けられている開口装着体用取付け具であって、
前記当接体には、後方側かつ横幅方向外方側に向けて斜めに延出されて前記取付け穴の表面側開口縁との係止によって前記取付け具本体を前方側に移動付勢する傾斜当接部と、前記傾斜当接部の先端部から前方側かつ横幅方向外方側に延出される段差部と、が設けられている開口装着体用取付け具。
【請求項２】
前記傾斜当接部には、前記取付け穴の表面側開口縁と係合して前記傾斜当接部の傾斜方向での相対移動を阻止する係合部が設けられている請求項１に記載の開口装着体用取付け具。
【請求項３】
前記当接体には、当該当接体の弾性復元力に抗して前記取付け穴の表面側開口縁との当接を解除する操作部が設けられている請求項１又は２に記載の開口装着体用取付け具。
【請求項４】
前記操作部が前記段差部の先端部に設けられ、
前記傾斜当接部が線状に形成され、
前記段差部及び前記操作部が前記傾斜当接部よりも幅広の板状に形成されている請求項３に記載の開口装着体用取付け具。
【請求項５】
前記操作部が前記段差部の先端部に設けられ、
前記操作部と前記傾斜当接部とが、前記段差部の分だけオフセットした状態で平行状に配置されている請求項３又は４に記載の開口装着体用取付け具。
【請求項６】
前記当接体における前記操作部よりも根元側部位には切り離し用の脆弱部が形成されている請求項３〜５のいずれか一項に記載の開口装着体用取付け具。
【請求項７】
取付け部に形成された取付け穴を通して前記取付け部の表面側から裏面側に挿入操作可能で、且つ、前記取付け穴の裏面側周縁に外周側部位の一部を当て付けた状態で前記取付け部の裏面側に配置可能な形状に構成された取付け具本体に、当該取付け具本体の面方向に沿う姿勢又はそれに近い姿勢で外方に張り出した展開状態と、前記取付け穴を通して前方側に突出する姿勢に弾性変形させて前記取付け穴の表面側開口縁に弾性復元力で当接させた屈曲当接状態とに変更可能な当接体が設けられている開口装着体用取付け具であって、
前記当接体には、後方側かつ横幅方向外方側に向けて斜めに延出されて前記取付け穴の表面側開口縁との係止によって前記取付け具本体を前方側に移動付勢する傾斜当接部と、前記傾斜当接部の先端部から前方側かつ横幅方向外方側に延出される段差部と、が設けられている開口装着体用取付け具。
【発明の詳細な説明】
【技術分野】
【０００１】
本発明は、建造物の壁面、床面、天井面或いは建具や家具の取付け面に形成された取付け穴に、電気スイッチ、電気コンセント、通信コンセント、漏電ブレーカー、警報用音響装置、暖房用パネルスイッチ、ガス管の接続金具、給湯管の接続金具等の機器の一つ又は複数個を取付ける場合に用いられる開口装着体用取付け具に関する。
【背景技術】
【０００２】
開口装着体用取付け具の一例である配線器具取付け具として、従来、取付け部に形成された矩形状の取付け穴を通して取付け部の表面側から裏面側に挿入操作可能な矩形枠状の取付け具本体の外周側部位のうち、長辺方向の両側部に位置する部位には、前記取付け穴の裏面側周縁に当て付けた状態で取付け部の裏面側に配置するための当り部を形成するとともに、前記取付け具本体の両長辺側枠部の中間部位には、前記取付け穴を通して取付け部の表面よりも前方側に突出する表裏方向に弾性変形可能な長い橋状の立ち上がり脚を、取付け具本体の短辺方向幅と同一幅で平行に形成し、各立ち上がり脚の先端部には、取付け部の表面の一部に前方側から当接可能な係止片を横外方に突出する状態で形成したものが提案されている。（例えば、下記特許文献１参照）
【０００３】
尚、前記取付け具本体の両短辺側枠部の中間部位には、開口装着体の構成部材の一例で、電気スイッチを備え、且つ、前記取付け部の表面の一部に前方側から当て付け可能な金属製のフレーム枠をビスで固定するためのネジ穴が形成されている。
【先行技術文献】
【特許文献】
【０００４】
【特許文献１】特開２００７−０３７２５４公報
【発明の概要】
【発明が解決しようとする課題】
【０００５】
従来の配線器具取付け具では、取付け部の裏面側に配置された取付け具本体から取付け穴を通して前方側に突出する両立ち上がり脚の先端部に設けた係止片を、取付け部の表面の一部に前方側から当接させることにより、前記取付け具本体が裏面側に脱落することを防止することができる。
【０００６】
反面、前記両立ち上がり脚の先端部に設けられた両係止片は、取付け部の表面の一部に前方側から当て付けられる又は近接配置されるだけであるため、前記取付け具本体自体は取付け部の裏面に沿って移動自在であり、その結果、前記取付け具本体の両短辺枠部の中間部位に形成したネジ穴に電気スイッチを備えたフレーム枠をビス止めするまでの間において、取付け部の裏面側に配置された取付け具本体を取付け穴の設定取付け位置に片手で位置保持し続ける必要があり、煩雑で面倒な取付け作業になっていた。
【０００７】
本発明は、上述の実状に鑑みて為されたものであって、その主たる課題は、取付け部の裏面側に配置された取付け具本体の裏面側への脱落を抑制しながらも、そのための構成を利用して取付け具本体を取付け穴の設定取付け位置に容易に位置保持することのできる開口装着体用取付け具を提供する点にある。
【課題を解決するための手段】
【０００８】
本発明の開口装着体用取付け具による第１の特徴構成は、
取付け部に形成された取付け穴を通して前記取付け部の表面側から裏面側に挿入操作可能で、且つ、前記取付け穴の裏面側周縁に外周側部位の一部を当て付けた状態で前記取付け部の裏面側に配置可能な形状に構成された取付け具本体に、前記取付け穴の表面側開口縁に弾性復元力で当接する弾性変形可能な当接体が設けられている開口装着体用取付け具であって、
前記当接体には、後方側かつ横幅方向外方側に向けて斜めに延出されて前記取付け穴の表面側開口縁との係止によって前記取付け具本体を前方側に移動付勢する傾斜当接部と、前記傾斜当接部の先端部から前方側かつ横幅方向外方側に延出される段差部と、が設けられている点にある。
【０００９】
上記構成によれば、前記取付け部の裏面側に配置された取付け具本体の当接体を弾性変形させた状態で取付け穴の表面側開口縁に弾性復元力で当接させることにより、取付け具本体の裏面側への移動に対して抜止め抵抗を付与することができるとともに、前記取付け具本体を、前記当接体が取付け穴の表面側開口縁に当接した位置に弾性復元力で保持することができる。
【００１０】
しかも、前記取付け部に形成される取付け穴の寸法にバラツキがある場合でも、その寸法誤差が当接体の弾性変形範囲内であれば、前記取付け具本体を取付け穴の設定取付け位置に保持することができる。
【００１１】
したがって、取付け部の裏面側に配置された取付け具本体の裏面側への脱落を抑制しながらも、そのための構成を利用して取付け具本体を取付け穴の設定取付け位置に容易に位置保持することができるから、前記取付け具本体に開口装着体又はこれの構成部材を取付けるまでの間において、取付け部の裏面側に配置された取付け具本体を片手で取付け穴の設定取付け位置に位置保持し続ける必要がなく、前記取付け具本体に対する機器の表面側からの取付け作業の簡便化、能率化を図ることができる。
【００１３】
また、上記構成によれば、前記当接体に形成した傾斜当接部を取付け穴の表面側開口縁に係止させることにより、取付け具本体に対して前方側への移動付勢力を付与することができるから、この取付け具本体を取付け部の裏面に確実に当て付けることができ、前記取付け具本体に対する開口装着体又はこれの構成部材の表面側からの取付け作業の簡便化、能率化を促進することができる。また、段差部の存在により、取付け具本体が裏面側に押し込み移動されたときにも、それ以上の裏面側への移動を阻止することができる。
【００１４】
本発明の開口装着体用取付け具による第２の特徴構成は、前記当接体の傾斜当接部には、前記取付け穴の表面側開口縁と係合して前記傾斜当接部の傾斜方向での相対移動を阻止する係合部が設けられている点にある。
【００１５】
上記構成によれば、前記取付け具本体の当接体の傾斜当接部に設けた係合部を取付け穴の表面側開口縁に係合させることにより、取付け穴の表面側開口縁に対して傾斜当接部の傾斜方向での当接体の移動を阻止することができるから、前記取付け部の裏面側に配置された取付け具本体に対して開口装着体又はこれの構成部材を表面側から取付ける際、取付け具本体の裏面側へのずれ移動を抑制して取付け作業の簡便化、能率化を促進することができる。
【００１８】
本発明の開口装着体用取付け具による第３の特徴構成は、前記当接体には、当該当接体の弾性復元力に抗して前記取付け穴の表面側開口縁との当接を解除する操作部が設けられている点にある。
【００１９】
上記構成によれば、前記当接体に設けた操作部により、記取付け穴の表面側開口縁に当接している当接体を容易に当接係止解除操作することができる。
本発明の開口装着体用取付け具による第４の特徴構成は、前記操作部が前記段差部の先端部に設けられ、前記傾斜当接部が線状に形成され、前記段差部及び前記操作部が前記傾斜当接部よりも幅広の板状に形成されている点にある。
本発明の開口装着体用取付け具による第５の特徴構成は、前記操作部が前記段差部の先端部に設けられ、前記操作部と前記傾斜当接部とが、前記段差部の分だけオフセットした状態で平行状に配置されている点にある。
【００２０】
本発明の開口装着体用取付け具による第６の特徴構成は、前記当接体における前記操作部よりも根元側部位には切り離し用の脆弱部が形成されている点にある。
【００２１】
上記構成によれば、前記取付け部の裏面側に配置された取付け具本体に対して開口装着体又はこれの構成部材を表面側から取付けた際、他の取付けに邪魔になる操作部付きの当接体を設定切り離し位置に形成された脆弱部において容易に切断分離することができる。
【００２２】
本発明の開口装着体用取付け具による第７の特徴構成は、
取付け部に形成された取付け穴を通して前記取付け部の表面側から裏面側に挿入操作可能で、且つ、前記取付け穴の裏面側周縁に外周側部位の一部を当て付けた状態で前記取付け部の裏面側に配置可能な形状に構成された取付け具本体に、当該取付け具本体の面方向に沿う姿勢又はそれに近い姿勢で外方に張り出した展開状態と、前記取付け穴を通して前方側に突出する姿勢に弾性変形させて前記取付け穴の表面側開口縁に弾性復元力で当接させた屈曲当接状態とに変更可能な当接体が設けられている開口装着体用取付け具であって、
前記当接体には、後方側かつ横幅方向外方側に向けて斜めに延出されて前記取付け穴の表面側開口縁との係止によって前記取付け具本体を前方側に移動付勢する傾斜当接部と、前記傾斜当接部の先端部から前方側かつ横幅方向外方側に延出される段差部と、が設けられている点にある。
【００２３】
上記構成によれば、前記取付け具本体に設けられた当接体は、非操作状態（自然状態）では、取付け具本体の面方向に沿う姿勢又はそれに近い姿勢で外方に張り出した展開状態にあるから、保管時や輸送時等において開口装着体用取付け具をコンパクトな形態で便利に取り扱うことができる。
【００２４】
そして、前記開口装着体用取付け具を取付け部に形成された取付け穴に装着するときには、前記取付け具本体に設けられた当接体を展開状態から屈曲係合状態に弾性変形操作して、この当接体を取付け穴を通して前方側に突出する姿勢で取付け穴の表面側開口縁に弾性復元力で当接させることにより、取付け具本体の裏面側への移動に対して抜止め抵抗を付与することができるとともに、前記取付け具本体を、前記当接体が取付け穴の表面側開口縁に当接した位置に弾性復元力で保持することができる。
また、上記構成によれば、前記当接体に形成した傾斜当接部を取付け穴の表面側開口縁に係止させることにより、取付け具本体に対して前方側への移動付勢力を付与することができるから、この取付け具本体を取付け部の裏面に確実に当て付けることができ、前記取付け具本体に対する開口装着体又はこれの構成部材の表面側からの取付け作業の簡便化、能率化を促進することができる。また、段差部の存在により、取付け具本体が裏面側に押し込み移動されたときにも、それ以上の裏面側への移動を阻止することができる。
【００２５】
したがって、取付け部の裏面側に配置された取付け具本体の裏面側への脱落を抑制しながらも、そのための構成を利用して取付け具本体を取付け穴の設定取付け位置に容易に位置保持することができ、しかも、保管時や輸送時等において開口装着体用取付け具をスペース面で有利に取り扱うことができる。
【図面の簡単な説明】
【００２６】
【図１】本発明の開口装着体用取付け具の第１実施形態を示す取付け具の斜視図
【図２】取付け具の正面図
【図３】取付け具の側面図
【図４】取付け具の背面図
【図５】取付け具の底面図
【図６】図２のVI-VI線断面図
【図７】取付け具及び配線器具の分解斜視図
【図８】取付け具を壁部の裏面側に配置したときの縦断面図
【図９】取付け具を壁部の裏面側に配置したときの横断面図
【図１０】取付け具及び配線器具を壁部に固定したときの縦断面図
【図１１】本発明の開口装着体用取付け具の第２実施形態を示す取付け具の正面図
【図１２】取付け具の底面図
【図１３】本発明の開口装着体用取付け具の第３実施形態を示す取付け時の横断面図
【図１４】本発明の開口装着体用取付け具の第４実施形態を示す取付け時の横断面図
【図１５】本発明の開口装着体用取付け具の第５実施形態を示す取付け時の横断面図
【図１６】本発明の開口装着体用取付け具の第６実施形態を示す取付け時の横断面図
【図１７】本発明の開口装着体用取付け具の第７実施形態を示す取付け具の正面図
【図１８】取付け具の底面図
【図１９】図１７におけるXIX- XIX線断面図
【図２０】屈曲係合状態に変更操作したときの横断面図（ａ）と屈曲係合状態で取付けたときの横断面図（ｂ）
【図２１】本発明の開口装着体用取付け具の第８実施形態を示す取付け具の展開状態の底面図（ａ）と屈曲係合状態で取付けたときの横断面図（ｂ）
【発明を実施するための形態】
【００２７】
〔第１実施形態〕
図１〜図１０は、石膏ボードや耐火ボード等を用いた壁部（取付け部の一例）１に、開口装着体の一例である配線器具Ａを埋め込み方式で取付ける合成樹脂製（例えば、ポリ塩化ビニル等の熱可塑性樹脂）の取付け具（開口装着体用取付け具の一例）を示す。
【００２８】
前記配線器具用取付け具は、壁部１に貫通形成された上下方向を長辺とする矩形状の取付け穴２の横内寸法Ｗ１よりも小なる横幅寸法（短辺方向寸法）Ｗ２に形成して、取付け穴２を通して壁部１の表面１ａ側から裏面１ｂ側に挿入操作可能に構成してある矩形枠状の取付け具本体３を主要構成として備えている。
【００２９】
この取付け具本体３の縦幅寸法（長辺方向寸法）Ｈ２を取付け穴２の縦内寸法Ｈ１よりも大なる寸法に構成して、当該取付け具本体３の外周側部位のうち、両長辺側枠部３Ａの長手方向両端部に連続形成される両短辺側枠部３Ｂの外周側部位に、前記壁部１の裏面１ｂにおける取付け穴２の短辺側周縁部分に面状に当て付けた状態で壁部１の裏面１ｂ側に取付け具本体３を配置するための平面状の当り部３ａを形成するとともに、前記取付け具本体３の両長辺側枠部３Ａの中間部位には、当該取付け具本体３が壁部１の裏面１ｂ側に配置されている状態で取付け穴２を通して壁部１の表面１ａよりも前方側に突出して、壁部１における取付け穴２の表面側開口縁１ｃに弾性復元力で当接する弾性変形可能な合成樹脂製の当接体４が一体成形されている。
【００３０】
前記取付け具本体３の両長辺側枠部３Ａには、前記両短辺側枠部３Ｂの当り部３ａが壁部１の裏面１ｂに当接している状態で前記取付け穴２内に入り込むことにより、当該取付け穴２の内周面２ａにおける長辺側内面との当接によって横幅方向（短辺方向）での装着位置を規制する位置規制部３ｂが一体形成されている。
この位置規制部３ｂは、両長辺側枠部３Ａの長手方向中間部位を当り部３ａよりも前方側に突出する状態で開拡コの字状に屈曲形成することにより構成されている。
【００３１】
前記取付け具本体３の両短辺側枠部３Ｂの左右方向中央位置には、前記配線器具Ａの構成部材の一つで、付設機器の一例である電気コンセント２０を備え、且つ、壁部１の表面１ａにおける取付け穴２の短辺側周縁部分に前方側から当て付け可能な金属製のフレーム枠２１を第１ビス２２で締付け固定するためのネジ穴５を備えたボス部６が一体形成されている。
【００３２】
前記両ボス部６のネジ穴５の中心間隔は、取付け具本体３の両長辺側枠部３Ａと両短辺側枠部３Ｂとで区画形成される矩形状の開口７の縦内寸法（長辺方向寸法）と同一で、且つ、前記取付け穴２の縦内寸法Ｈ１よりも小なる寸法に構成されている。
【００３３】
前記取付け具本体３の下方側に位置する短辺側枠部３Ｂの横幅方向二箇所には、前記取付け穴２の内周面２ａにおける下側内面に当接して取付け具本体３を設定下端取付け位置（長辺方向での設定取付け位置）に保持する位置規制突起８が前方側に突出する状態で一体成形されているとともに、前記各位置規制突起８の先端部には、取付け穴２の内周面２ａにおける下側内面に対して上方から喰い込み可能な位置ずれ防止用の先鋭な喰込み突起８ａが形成されている。
【００３４】
前記取付け具本体３の上方側に位置する短辺側枠部３Ｂの背面側の横幅方向二箇所には、壁部１の裏面１ｂ側に配設される蛇腹管を固定するためのコの字状の掛止部９が一体形成されているとともに、前記上方側の短辺側枠部３Ｂの両外側面３ｃが、前記取付け穴２への挿入操作を容易に行うために上方ほど幅狭となるテーパー面に形成されている。
【００３５】
さらに、前記取付け具本体３の両短辺側枠部３Ｂの前面側には、前記ボス６の外周面に接する位置において長辺方向に沿ってカッター等で切断分離するための二条の分離案内溝１０が形成されている。
この分離案内溝１０を形成したことにより、前記取付け穴２の裏面側の左右一側方に木等の障害物が存在して、取付け具本体３をそのまま装着することができない場合において、その障害物に対応する左右一側方の片半分を分離案内溝１０に沿って切断分離し、ボス６が残っている他方の片半分の分割取付け体を取付け穴２に装着することができる。
【００３６】
次に、前記両当接体４について詳述すると、両当接体４の各々は、取付け具本体３の長辺側枠部３Ａの位置規制部３ｂの前端面から壁部１の設定最小厚みよりも若干小なる寸法で前後方向に直線状に延びる基端部４Ａと、該基端部４Ａの先端から前方側の横幅方向外方側に向けて斜めに延出される傾斜当接部４Ｂと、該傾斜当接部４Ｂの先端から横幅方向外方側に直角に張り出す状態で延出される段差部４Ｃとから構成されているとともに、前記両段差部４Ｃの先端には、当接体４の弾性復元力に抗して前記傾斜当接部４Ｂと取付け穴２の表面側開口縁１ｃとの当接を解除する操作部１１が一体形成されている。
【００３７】
前記両当接体４の傾斜当接部４Ｂは、壁部１の設定最小厚みから設定最大厚みまでの範囲において、前記壁部１における取付け穴２の表面側開口縁１ｃに当接可能な長さに形成されているとともに、前記取付け穴２の表面側開口縁１ｃに対応する両傾斜当接部４Ｂの外側接当面の最小外面間寸法Ｗ３が取付け穴２の横内寸法Ｗ１よりも小なる寸法に構成されている。
【００３８】
そのため、前記両当接体４をそれの弾性復元力に抗して横幅方向内方側に弾性変形させて、当該両当接体４の傾斜当接部４Ｂを取付け穴２の両表面側開口縁１ｃに当接させた係止状態では、壁部１の裏面１ｂ側に配置された取付け具本体３に前方側への移動分力が発生し、この前方側への移動付勢力によって取付け具本体３の裏面側への抜け出し移動を抑制することができるとともに、取付け具本体３の当り部３ａを壁部１の裏面１ｂに確実に当て付けることができ、前記取付け具本体３に対する配線器具Ａのフレーム枠２１のビス止め作業の容易化を図ることができる。
【００３９】
前記両当接体４の段差部４Ｃは、前記取付け具本体３が裏面側に押し込み移動されたとき、前記壁部１における取付け穴２の表面側開口縁１ｃに係合してそれ以上の裏面側への移動を阻止する脱落阻止部として機能する。
【００４０】
前記両当接体４の傾斜当接部４Ｂにおける取付け穴２の表面側開口縁１ｃに対応する外側当接面には、両当接体４をそれの弾性復元力に抗して横幅方向内方側に弾性変形させて、当該両当接体４の傾斜当接部４Ｂを取付け穴２の両表面側開口縁１ｃに当接させたとき、前記表面側開口縁１ｃと係合して傾斜当接部４Ｂの傾斜方向での相対移動を阻止する係合部１２が設けられている。
【００４１】
前記係合部１２は、傾斜当接部４Ｂの長手方向に所定間隔を置いた複数箇所に形成された先鋭な係合突起１２ａから構成されていて、前記当接体４の弾性復元力で表面側開口縁１ｃに喰込み状態で係合するように構成されている。
【００４２】
そして、前記傾斜当接部４Ｂに設けた係合部１２の係合突起１２ａを取付け穴２の表面側開口縁１ｃに喰込み係合させた状態では、取付け穴２の表面側開口縁１ｃに対して傾斜当接部４Ｂの傾斜方向での移動を阻止することができる、換言すれば、壁部１に対する取付け具本体３の前後方向での移動を阻止することができるから、壁部１の裏面１ｂ側に配置された取付け具本体３に対して配線器具Ａのフレーム枠２１をビス止めする際、取付け具本体３の裏面１ｂ側へのずれ移動を抑制して取付け作業の簡便化、能率化を図ることができる。
【００４３】
前記配線器具Ａは、これに付設される機器の一例である電気コンセント２０に対する取付け孔２１ａを備え、かつ、壁部１の表面１ａに当接位置する状態で裏面１ｂ側に配置された取付け具本体３のネジ穴５に第１ビス２２で締付け固定される金属製のフレーム枠２１と、このフレーム枠２１の前面の周囲を覆う状態で当該フレーム枠２１に第２ビス２３で締付け固定される合成樹脂製の化粧枠２４と、化粧枠２４に対して脱着自在に嵌合装着され、かつ、その嵌合装着時に電気コンセント２０の前部が前方に臨む開口２５ａを形成してある合成樹脂製の化粧カバー２５との組合せから構成されている。
【００４４】
前記フレーム枠２１の横幅寸法は、取付け穴２の横内寸法Ｗ１よりも小なる寸法に構成され、このフレーム枠２１を壁部１の裏面１ｂ側に配置された取付け具本体３のネジ穴５に第１ビス２２で締付け固定されたとき、フレーム枠２１の横幅方向両外側縁と取付け穴２の内周面２ａにおける横側内面との間には、前記両当接体４を配置可能な空隙が確保されている。
【００４５】
次に、上述の如く構成された配線器具用取付け具を壁部１の取付け穴２に装着する場合の操作手順を説明する。
先ず、前記取付け具本体３の両長辺側枠部３Ａの中間部位に形成された一対の当接体４の操作部１１を手指で挾持して、両当接体４の傾斜当接部４Ｂが取付け穴２を通過可能な状態にまで両当接体４をそれの弾性復元力に抗して横幅方向内方側に弾性変形させる。
【００４６】
この両当接体４の操作部１１を介して挾持保持されている取付け具本体３を傾け、両外側面３ｃがテーパー面に形成されている上方側の短辺側枠部３Ｂ側から取付け穴２を挿通させ、取付け具本体３全体が取付け穴２を通過した時点で当該取付け具本体３の両短辺側枠部３Ｂの当り部３ａを壁部１の裏面１ｂに当接させ、この当接状態で取付け具本体３を下方に移動操作し、下方側に位置する短辺側枠部３Ｂに形成されている両位置規制突起８の喰込み突起８ａを取付け穴２の内周面２ａにおける下側内面に喰い込み係止させたのち、両当接体４の操作部１１から手を放して挾持を解除する。
【００４７】
この挾持解除操作により、両当接体４がそれの弾性復元力で横幅方向外方側に復帰変形し、その復帰途中で前記両当接体４の傾斜当接部４Ｂに設けた係合部１２の係合突起１２ａが取付け穴２の表面側開口縁１ｃに喰込み係合する。
【００４８】
それ故に、一対の当接体４の操作部１１を挾持保持した状態で、取付け具本体３を斜めにして取付け穴２に挿入し、取付け具本体３の両当り部３ａを壁部１の裏面１ｂに当接させた状態で下方に移動させ、両位置規制突起８の喰込み突起８ａが取付け穴２の内周面２ａにおける下側内面に喰い込み係止した時点で両当接体４の操作部１１から手を放すといった一連の操作で、配線器具用取付け具を壁部１の取付け穴２に迅速・確実・容易に装着することができる。
【００４９】
しかも、前記両当接体４の操作部１１から手を放した挾持解除状態では、前記両傾斜当接部４Ｂに設けた係合部１２の係合突起１２ａが取付け穴２の表面側開口縁１ｃに喰込み係合しているため、この係合状態で壁部１の裏面１ｂ側に配置されている取付け具本体３に表面側から力を加えても、壁部１に対する取付け具本体３の背面側への移動を強力に阻止することができるから、取付け具本体３に対して配線器具Ａのフレーム枠２１をビス止めする際、取付け穴２の中に手を差し入れて取付け具本体３を支える必要がなく、配線器具Ａのフレーム枠２１を能率良く簡単に取付けることができる。
【００５０】
前記両当接体４は、前記フレーム枠２１の取付けには邪魔にならないが、前記化粧枠２４及び化粧カバー２５の取付けには邪魔になるため、前記化粧枠２４の取付け工程前において、前記両当接体４のうち、取付け穴２から壁部１の表面１ａよりも前方に突出する突出部分を工具で切断除去する。
【００５１】
この場合、前記両当接体４の残置部分が取付け穴２の内周面２ａに弾性復元力で圧接された状態にあり、且つ、前記傾斜当接部４Ｂに設けた係合部１２の係合突起１２ａの一部が取付け穴２の内周面２ａに喰込み状態で係合しているため、前記配線器具Ａを点検・補修等のために一時的に解体する、又は、新たな配線器具Ａに取り替える必要が生じた場合でも、取付け具本体３の裏面１ｂ側への抜け落ちを抑制することができる。
それ故に、点検・補修等に配線器具Ａを組付ける又は新たな配線器具Ａに取り替える場合、前記取付け具本体３に対して壁部１の表面１ａ側から取付け作業を行うことができるとともに、取付け穴２の中に手を差し入れて取付け具本体３を支える必要がないので、作業性を高めることができる。
【００５２】
〔第２実施形態〕
図１１、図１２は別の配線器具用取付け具を示し、前記両当接体４における前記操作部１１よりも根元側部位、換言すれば、前記傾斜当接部４Ｂの基端部４Ａ側に偏倚した根元側部位の両側面には、切り離し用の脆弱部を構成するＶ字状の切込み溝１４が形成されて
いる。
【００５３】
そのため、前記配線器具Ａのフレーム枠２１を壁部１の裏面１ｂ側に配置された取付け具本体３にビス止めしたのち、取付け穴２から壁部１の表面１ａよりも前方に突出する操作部１１を捻じり操作すると、前記当接体４が切込み溝１４の形成箇所で捻じ切られる。
【００５４】
当該第２実施形態では、捻じ切られた両当接体４の残置部分が、取付け具本体３の両長辺側枠部３Ａと略同じ横幅になるから、この両当接体４の残置部分による裏面１ｂ側への抜け落ちを阻止する機能は喪失している。
【００５５】
尚、前記切込み溝等の脆弱部１４の形成位置を、壁部１の表面１ａよりも前方に突出しない範囲で傾斜当接部４Ｂの中間位置に設定すれば、両当接体４の残置部分が取付け穴２の内周面２ａに弾性復元力で圧接された状態にあり、前記配線器具Ａを一時的に解体する必要が乗じた場合でも、取付け具本体３の裏面１ｂ側への抜け落ちを抑制することができる。
【００５６】
また、この第２実施形態では、前記両当接体４の傾斜当接部４Ｂには、前記表面側開口縁１ｃと係合して傾斜当接部４Ｂの傾斜方向での相対移動を阻止する係合部１２は設けられていない。
尚、その他の構成は、第１実施形態で説明した構成と同一であるから、同一の構成箇所には、第１実施形態と同一の番号を付記してそれの説明は省略する。
【００５７】
〔第３実施形態〕
図１３は別の配線器具用取付け具を示し、前記両当接体４の傾斜当接部４Ｂを、Ｖ字が連続する波形形状に形成することにより、両当接体４をそれの弾性復元力に抗して横幅方向内方側に弾性変形させて、当該両当接体４の傾斜当接部４Ｂを取付け穴２の両表面側開口縁１ｃに当接させたとき、傾斜当接部４Ｂを構成する波形形状の一つのＶ字状凹部１２ｂが前記表面側開口縁１ｃと選択的に係合して傾斜当接部４Ｂの傾斜方向での相対移動を阻止する係合部１２が構成されている。
【００５８】
尚、前記Ｖ字状凹部１２ｂが連続形成される波形形状以外に、Ｕ字状凹部や半円弧状凹部等が連続する他の波形形状に形成してもよい。
また、その他の構成は、第１実施形態で説明した構成と同一であるから、同一の構成箇所には、第１実施形態と同一の番号を付記してそれの説明は省略する。
【００５９】
〔第４実施形態〕
図１４は別の配線器具用取付け具を示し、前記両当接体４の基端部４Ａが、壁部１の設定最小厚みから設定最大厚みまでの範囲において、取付け穴２の内周面２ａに対面する長さに形成されているとともに、前記両基端部４Ａにおける取付け穴２の内周面２ａに常時対面する部位には、前記取付け穴２の内周面２ａに係止可能な先鋭形状の係止部１５が一体形成され、さらに、無負荷状態での両係止部１５の先端部間隔が、取付け穴２の横内寸法Ｗ１よりも大なる寸法に構成されている。
【００６０】
そのため、前記両当接体４をそれの弾性復元力に抗して横幅方向内方側に弾性変形させて、当該両当接体４の基端部４Ａに形成されている両係止部１５を取付け穴２の内周面２ａに当接させた状態では、両係止部１５が当接体４の弾性変形による弾性復元力で前記取付け穴２の内周面２ａに喰込み状態で係止するように構成されている。
【００６１】
また、この第４実施形態においては、前記両当接体４の傾斜当接部４Ｂと球状の操作部１１との連設箇所に形成される段部をもって、前記取付け具本体３が裏面側に押し込み移動されたとき、前記壁部１における取付け穴２の表面側開口縁１ｃに係合してそれ以上の裏面側への移動を阻止するべく、傾斜当接部４Ｂの先端から横幅方向外方側に張り出す状態で延出される前記段差部４Ｃに兼用構成されている。
【００６２】
尚、その他の構成は、第１実施形態で説明した構成と同一であるから、同一の構成箇所には、第１実施形態と同一の番号を付記してそれの説明は省略する。
また、前記係止部１５を形成する部位は当接体４の基端部４Ａに限定されない。例えば、前記両当接体４の傾斜当接部４Ｂの一部が、壁部１の設定最小厚みから設定最大厚みまでの範囲において、取付け穴２の内周面２ａに常時対面する場合には、この常時対面する傾斜当接部４Ｂの一部に前記係止部１５を形成して実施してもよい。
【００６３】
〔第５実施形態〕
図１５は別の配線器具用取付け具を示し、前記両当接体４は、取付け具本体３の長辺側枠部３Ａの位置規制部３ｂの前端面から壁部１の表面１ａよりも前方側に突出する垂直部４Ｄと、該垂直部４Ｄの先端から横幅方向外方側に直角に張り出す水平部４Ｅ、及び、これらにわたって設けられる三角板部４Ｆとから構成されているとともに、前記三角板部４Ｆの傾斜当り面が、前記取付け穴２の表面側開口縁１ｃとの係止によって取付け具本体３を前方側に移動付勢する傾斜当接部４Ｂに構成されている。
【００６４】
また、前記両当接体４の水平部４Ｅが、当該当接体４の弾性復元力に抗して前記壁部１における取付け穴２の表面側開口縁１ｃとの当接を解除する操作部１１に兼用構成されている。
尚、その他の構成は、第１実施形態で説明した構成と同一であるから、同一の構成箇所には、第１実施形態と同一の番号を付記してそれの説明は省略する。
【００６５】
〔第６実施形態〕
図１６は別の配線器具用取付け具を示し、前記両当接体４が、壁部１の設定最小厚みから設定最大厚みまでの範囲において、取付け穴２の内周面２ａに対面する長さに形成され、且つ、それの先端角部４ａの間隔が取付け穴２の横内寸法Ｗ１よりも大となる状態で横幅方向外方側に湾曲形成されている。
【００６６】
そのため、前記両当接体４をそれの弾性復元力に抗して横幅方向内方側に弾性変形させて、当該両当接体４の先端角部４ａを取付け穴２の内周面２ａに当接させた状態では、両先端角部４ａが当接体４の弾性変形による弾性復元力で前記取付け穴２の内周面２ａに喰込み状態で係止するように構成されている。
【００６７】
つまり、前記両当接体４の先端角部４ａが、当接体４の弾性変形による弾性復元力で前記取付け穴２の内周面２ａに係止可能な先鋭形状の係止部１５に構成されている。
尚、その他の構成は、第１実施形態で説明した構成と同一であるから、同一の構成箇所には、第１実施形態と同一の番号を付記してそれの説明は省略する。
【００６８】
〔第７実施形態〕
図１７〜図２０は別の配線器具用取付け具を示し、壁部１に形成された取付け穴２を通して壁部１の表面１ａ側から裏面１ｂ側に挿入操作可能で、且つ、前記取付け穴２の裏面１ａ側周縁に外周側部位の一部を当て付けた状態で壁部１の裏面側に配置可能な矩形枠形状に構成された取付け具本体３の両長辺側枠部３Ａの中間部位には、当該取付け具本体３の面方向（これの開口７の面方向）に沿う姿勢又はそれに近い姿勢で横外方に張り出した展開状態と、前記取付け穴２を通して前方側に突出する姿勢に弾性変形させて前記取付け穴２の表面側開口縁に弾性復元力で当接させた屈曲当接状態とに変更可能な当接体４を一体形成して構成されている。
【００６９】
前記当接体４は、図２０に示すように、取付け時の形態において、取付け具本体３の長辺側枠部３Ａの位置規制部３ｂの前端面から壁部１の設定最小厚みよりも若干小なる寸法で前方側に直線状に突出可能な基端部４Ａと、該基端部４Ａの先端から前方側の横幅方向外方側に向けて斜めに延出される傾斜当接部４Ｂと、該傾斜当接部４Ｂの先端から横幅方向外方側に直角に張り出す状態で延出される段差部４Ｃとから構成されているとともに、前記両段差部４Ｃの先端には、当接体４の弾性復元力に抗して前記取付け穴２の表面側開口縁１ｃと傾斜当接部４Ｂとの当接を解除する操作部１１が一体形成されている。
【００７０】
前記取付け具本体３の位置規制部３ｂと当接体４の基端部４Ａとの連設箇所には、展開状態にある当接体４を弾性復元力に抗して屈曲当接状態に弾性変形させるための薄肉のヒンジ部１６が形成されているとともに、前記取付け具本体３の長辺側枠部３Ａには、屈曲当接状態に弾性変形操作された当接体４の基端部４Ａに嵌合して該当接体４を屈曲当接状態に維持する正面視略Ｃの字状の嵌合保持部１７が一体形成されている。
【００７１】
尚、その他の構成は、第１実施形態で説明した構成と同一であるから、同一の構成箇所には、第１実施形態と同一の番号を付記してそれの説明は省略する。
また、この第７実施形態では、屈曲係合状態に弾性変形操作された取付け具本体３を取付け穴２に装着したとき、当接体４の傾斜当接部４Ｂを取付け穴３の表面側開口縁１ｃに弾性復元力で係合させるように構成したが、前述した第４実施形態の当接体４の構造を採用して、屈曲当接状態に弾性変形操作された取付け具本体３を取付け穴２に装着したとき、当接体４の先鋭形状の係止部１５を前記取付け穴２の内周面２ａに弾性復元力で係止させるように構成してもよい。
【００７２】
さらに、この第７実施形態では、前記取付け具本体３の位置規制部３ｂと当接体４の基端部４Ａとの連設箇所に薄肉のヒンジ部１６を形成したが、この構成に限定されるものではなく、例えば、前記取付け具本体３と当接体４とを別々に製作して、これら両者を、展開状態と屈曲当接状態とに揺動切替可能に枢支ピン等で枢支連結してもよい。
この場合、前記取付け具本体３と当接体４との枢支連結部に、取付け具本体３に対して当接体４を展開状態に付勢するコイルバネ等の弾性付勢体を設ける。
【００７３】
〔第８実施形態〕
図２１は別の配線器具用取付け具を示し、壁部１に形成された取付け穴２を通して壁部１の表面１ａ側から裏面１ｂ側に挿入操作可能で、且つ、前記取付け穴２の裏面１ａ側周縁に外周側部位の一部を当て付けた状態で壁部１の裏面側に配置可能な矩形枠形状に構成された取付け具本体３の両長辺側枠部３Ａの中間部位には、当該取付け具本体３の面方向（開口７の面方向）に沿う姿勢又はそれに近い姿勢で横外方に張り出した展開状態と、前記取付け穴３を通して前方側に突出する姿勢に弾性変形させて前記取付け穴３の表面側開口縁に弾性復元力で当接させた屈曲当接状態とに変更可能な当接体４を一体形成して構成されている。
【００７４】
前記当接体４は、図２１（ｂ）に示すように、取付け時の形態において、取付け具本体３の長辺側枠部３Ａの位置規制部３ｂの前端面から前方側の横幅方向外方側に向けて斜めに延出される傾斜当接部４Ｇと、該傾斜当接部４Ｇの先端から横幅方向外方側に直角に張り出す状態で延出される段差部４Ｈとから構成されているとともに、前記両段差部４Ｃが、当接体４の弾性復元力に抗して前記取付け穴２の表面側開口縁１ｃとの当接を解除する操作部１１に兼用構成されている。
【００７５】
前記取付け具本体３の位置規制部３ｂと当接体４の傾斜当接部４Ｇとの連設箇所には、展開状態にある当接体４を弾性復元力に抗して屈曲当接状態に弾性変形させるための薄肉のヒンジ部１８が形成されているとともに、前記取付け具本体３の長辺側枠部３Ａには、屈曲当接状態に屈曲される係止部４の傾斜当接部４Ｇの背面に当接して弾性変形することにより、前記傾斜当接部４Ｇを取付け穴２の表面側開口縁１ｃに係合する方向に付勢する突片状の弾性付勢体１９が一体形成されている。
【００７６】
尚、その他の構成は、第１実施形態で説明した構成と同一であるから、同一の構成箇所には、第１実施形態と同一の番号を付記してそれの説明は省略する。
また、この第８実施形態では、屈曲当接状態に弾性変形操作された取付け具本体３を取付け穴２に装着したとき、当接体４の傾斜当接部４Ｇを取付け穴３の表面側開口縁１ｃに弾性復元力で係合させるように構成したが、前述した第４実施形態の当接体４の構造を採用して、屈曲当接状態に弾性変形操作された取付け具本体３を取付け穴２に装着したとき、当接体４の先鋭形状の係止部１５を前記取付け穴２の内周面２ａに弾性復元力で係止させるように構成してもよい。
【００７７】
〔その他の実施形態〕
（１）上述の各実施形態では、前記取付け具本体３の両長辺側枠部３Ａの中間部位に、前記取付け穴２の内周面２ａ又は表面側開口縁１ｃに弾性復元力で当接する弾性変形可能な一対の当接体４を設けたが、この当接体４を取付け具本体３の一箇所又は三箇所以上に設けて実施してもよい。
【００７８】
（２）上述の各実施形態では、建造物の壁面を構成する壁部１に形成された取付け穴２に配線器具用取付け具を装着する形態を例に挙げて説明したが、配線器具用取付け具が装着される取付け部としては、建造物の床面や天井面等であってもよく、さらに、建具や家具等であってもよい。
【００７９】
（３）上述の各実施形態では、開口装着体の一例である配線器具Ａに装備される付設機器として電気コンセント２０を例にあげたが、電気スイッチ、電気コンセント、通信コンセント、漏電ブレーカー、警報用音響装置、暖房用パネルスイッチ等であってもよい。
さらに、前記のような配線器具Ａに限らず、ガス管の接続金具や給湯管の接続金具等の機器を取付ける他の開口装着体であってもよい。
【００８０】
（４）上述の第１実施形態では、前記取付け具本体３の両短辺側枠部３Ｂの外周側部位に形成された平面状の当り部３ａを壁部１の裏面１ｂに面接当状態で当て付けたが、この当り部３ａを複数の突条又は突起から構成して、壁部１の裏面１ｂに線状又は点状に当て付けるように構成してもよい。
【００８１】
（５）上述の各実施形態では、前記取付け具本体３を環状の枠体に構成したが、この取付け具本体３を正面視において略コの字状又は開口の無い板状等に構成してもよい。
さらに、前記取付け具本体３の両長辺側枠部３Ａの外周側部位に、前記壁部１の裏面１ｂにおける取付け穴２の短辺側周縁部分に面状に当て付けた状態で壁部１の裏面１ｂ側に取付け具本体３を配置するための平面状の当り部３ａを形成してもよい。
要するに、前記取付け具本体３としては、開口装着体に対応して種々の形状に構成してもよい。
【符号の説明】
【００８２】
１        取付け部（壁部）
１ａ      表面
１ｂ      裏面
１ｃ      表面側開口縁
２        取付け穴
２ａ      内周面
３        取付け具本体
４        当接体
４Ｂ      傾斜当接部
４Ｇ      傾斜当接部
１１      操作部
１２      係合部
１４      脆弱部（切込み溝）
１５      係止部
【図１】
0005641603.tif 000002
【図２】
0005641603.tif 000003
【図３】
0005641603.tif 000004
【図４】
0005641603.tif 000005
【図５】
0005641603.tif 000006
【図６】
0005641603.tif 000007
【図７】
0005641603.tif 000008
【図８】
0005641603.tif 000009
【図９】
0005641603.tif 000010
【図１０】
0005641603.tif 000011
【図１１】
0005641603.tif 000012
【図１２】
0005641603.tif 000013
【図１３】
0005641603.tif 000014
【図１４】
0005641603.tif 000015
【図１５】
0005641603.tif 000016
【図１６】
0005641603.tif 000017
【図１７】
0005641603.tif 000018
【図１８】
0005641603.tif 000019
【図１９】
0005641603.tif 000020
【図２０】
0005641603.tif 000021
【図２１】
0005641603.tif 000022